【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
繊維製品を連続バッチ式トンネル型洗濯機で洗濯する方法であって、
ａ）内部、投入部、排出部、及び内部を区画する複数のモジュールを有し、モジュールの１つは水が排出された空ポケットであり、モジュールは、投入部に隣接する第１モジュールと、排出部に隣接する仕上げモジュールとを含む連続バッチ式トンネル型洗濯機を配備するステップ、
ｂ）投入部から投入された繊維製品を、第１モジュールから最終モジュールまで各モジュールを順次経て、排出部へ移動させるステップ、
ｃ）洗浄用化学剤を１又は複数のモジュールに加えるステップ、
ｄ）洗濯機内部の液体を、ステップｂ及びｃにおける繊維製品の移動方向とは略反対の流れ径路に沿う対向流として流すことにより、繊維製品をすすぎ洗いするステップ、を含んでおり、
ｅ）モジュールの１つは、ステップｄの間、流体が排出された空ポケットモジュールを構成し、
ｆ）空ポケットモジュールでないモジュールは、繊維製品と流体の両方が入っている、方法。
【請求項２】
ステップｅの後、繊維製品から過剰の流体を抽出するステップをさらに含んでいる請求項１の方法。
【請求項３】
空ポケットは、上流位置から下流位置へ移される請求項２の方法。
【請求項４】
空ポケットは、白物繊維製品を白物以外の繊維製品と分離する請求項１の方法。
【請求項５】
空ポケットは、白物繊維製品を色物繊維製品と分離する請求項１の方法。
【請求項６】
空ポケットは、高温モジュールを低温モジュールと分離する請求項１の方法。
【請求項７】
ステップｄにおいて、複数の異なる対向流ストリームがある請求項１の方法。
【請求項８】
ステップｄにおいて、複数の異なる対向流ストリームがある請求項４の方法。
【請求項９】
ステップｄにおける一方の対向流ストリームは白物繊維製品のすすぎ洗いを行ない、他方の対向流ストリームは白物以外の繊維製品のすすぎ洗いを行なう請求項８の方法。
【請求項１０】
ステップｄにおける一方の対向流ストリームは白物繊維製品のすすぎ洗いを行ない、他方の対向流ストリームは色物繊維製品のすすぎ洗いを行なう請求項８の方法。
【請求項１１】
ステップｄにおいて、複数の異なる対向流ストリームがある請求項６の方法。
【請求項１２】
ステップｄにおける一方の対向流ストリームは高温モジュールのすすぎ洗いを行ない、他方の対向流ストリームは低温モジュールのすすぎ洗いを行なう請求項１１の方法。
【請求項１３】
繊維製品を連続バッチ式トンネル型洗濯機でアイロンかけする方法であって、
ａ）内部、投入部、排出部、及び内部を区画する複数のモジュールを有する連続バッチ式トンネル型洗濯機を配備するステップ、
ｂ）繊維製品及び流体を、投入部から排出部へ第１の移動方向に移動させるステップ、
ｃ）１又は複数のモジュール内の化学剤槽で繊維製品を洗浄するステップ、
ｄ）ステップｃの後、繊維製品をすすぎ洗いするステップ、
ｅ）１又は複数のモジュールの中に、流体が排除された空ポケットを配備するステップ、を含んでおり、
ｆ）空ポケットは、投入部から排出部に向かう第１の方向に、１つのモジュールからその隣りのモジュールに移され、
ｇ）ステップｄが行われる間、洗濯機内の液体を対向流として流すステップ、
を含んでいる、方法。
【請求項１４】
空ポケットは、白物繊維製品を白物以外の繊維製品と分離する請求項１３の方法。
【請求項１５】
空ポケットは、白物繊維製品を色物繊維製品と分離する請求項１３の方法。
【請求項１６】
空ポケットは、高温モジュールを低温モジュールと分離する請求項１３の方法。
【請求項１７】
ステップｄにおいて、複数の異なる対向流ストリームがある請求項１４の方法。
【請求項１８】
ステップｄにおいて、複数の異なる対向流ストリームがある請求項１５の方法。
【請求項１９】
ステップｄにおける一方の対向流ストリームは白物繊維製品のすすぎ洗いを行ない、他方の対向流ストリームは白物以外の繊維製品のすすぎ洗いを行なう請求項１８の方法。
【請求項２０】
ステップｄにおける一方の対向流ストリームは白物繊維製品のすすぎ洗いを行ない、他方の対向流ストリームは色物繊維製品のすすぎ洗いを行なう請求項１８の方法。
【請求項２１】
ステップｄにおける一方の対向流ストリームは高温モジュールのすすぎ洗いを行ない、他方の対向流ストリームは低温モジュールのすすぎ洗いを行なう請求項１６の方法。
【請求項２２】
繊維製品を連続バッチ式トンネル型洗濯機で洗濯する方法であって、
ａ）内部、投入部、排出部、及び内部を区画する複数のモジュールを有し、モジュールの１つは水が排出された空ポケットである連続バッチ式トンネル型洗濯機を配備するステップ、
ｂ）繊維製品及び大量の液体を、投入部から、各モジュールを順次経て、排出部へ移動させるステップ、
ｃ）洗浄用化学剤を１又は複数のモジュールに加えるステップ、
ｄ）洗濯機内部の液体を、ステップｂ及びｃにおける繊維製品の移動方向とは略反対の流れ径路に沿う対向流として流すことにより、繊維製品をすすぎ洗いするステップ、を含んでおり、
ｅ）モジュールの１つは、ステップｄの間、流体が排出された空ポケットモジュールを構成する、方法。
【請求項２３】
ステップｅの後、繊維製品から過剰の流体を抽出するステップをさらに含んでいる請求項２２の方法。
【請求項２４】
空ポケットは、最初の上流位置から、前記最初の上流位置の下流にある下流モジュールへ移される請求項２２の方法。
【請求項２５】
空ポケットは、白物繊維製品を白物以外の繊維製品と分離する請求項２２の方法。
【請求項２６】
空ポケットは、白物繊維製品を色物繊維製品と分離する請求項２２の方法。
【請求項２７】
空ポケットは、１又は複数の高温モジュールを１又は複数の低温モジュールと分離する請求項２２の方法。
【請求項２８】
繊維製品を連続バッチ式トンネル型洗濯機で洗濯アイロンかけする方法であって、
ａ）内部、投入部、排出部、及び内部を区画する複数のモジュールを有し、少なくとも１つの投入部モジュールと少なくとも１つの最終モジュールとを含む連続バッチ式トンネル型洗濯機を配備するステップ、
ｂ）繊維製品及び流体を、投入部から排出部へ第１の移動方向に移動させるステップ、
ｃ）１又は複数のモジュール内の化学剤槽で繊維製品を洗浄するステップ、
ｄ）ステップｃの後、繊維製品をすすぎ洗いするステップ、
ｅ）１又は複数のモジュールの中に、流体が排除された空ポケットを配備するステップ、を含んでおり、
ｆ）空ポケットは、投入部から排出部に向かう第１の方向に、投入部のモジュールから１モジュールずつ、最終モジュールまで移動させられ、
ｇ）ステップｄが行われる間、洗濯機内の液体を対向流として流すステップ、
を含んでいる、方法。
【請求項２９】
空ポケットは、白物繊維製品を白物以外の繊維製品と分離する請求項２８の方法。
【請求項３０】
空ポケットは、白物繊維製品を色物繊維製品と分離する請求項２８の方法。
【請求項３１】
空ポケットは、高温モジュールを低温モジュールと分離する請求項２８の方法。
【請求項３２】
ステップｇにおいて、複数の異なる対向流ストリームがある請求項２８の方法。
【請求項３３】
ステップｄにおける一方の対向流ストリームは白物繊維製品のすすぎ洗いを行ない、他方の対向流ストリームは白物以外の繊維製品のすすぎ洗いを行なう請求項３２の方法。
【請求項３４】
ステップｄにおける一方の対向流ストリームは白物繊維製品のすすぎ洗いを行ない、他方の対向流ストリームは色物繊維製品のすすぎ洗いを行なう請求項３２の方法。
【請求項３５】
一方の対向流ストリームは高温モジュールのすすぎ洗いを行ない、他方の対向流ストリームは低温モジュールのすすぎ洗いを行なう請求項３２の方法。